(57)【要約】【課題】本発明は防水性能を向上させると共に、扉下がりとパッキンつぶれを同時に解消できる電気機器収納用箱体を提供することを目的としている。【解決手段】本発明に係る電気機器収納用箱体は、水切り２を断面略コ字状に折曲すると共に、水切り２のコーナー部に扉下がり防止部材４を嵌合させ、防水性能と強度を向上させている。防止部材４はテーパー部５を設け、扉下がりを防止すると共に、リブ６を設け、パッキンつぶれ防止する。【選択図】        図３
2004253469.tif 000002
【特許請求の範囲】
【請求項１】
前面に開口を有し、雨水等の浸入を防止するための水切りが前記開口周縁に形成された本体と、前記開口を施蓋する扉とから成る電気機器収納用箱体において、前記水切りを断面略コ字状に折曲すると共に、前記水切りのコーナー部に扉下がり防止部材を嵌合させることを特徴とする電気機器収納用箱体。
【請求項２】
前記電気機器収納用箱体であって、該電気機器収納用箱体に前記扉下がり防止部材の前記扉に当接する部分にテーパー部を設けたを特徴とする請求項１に記載の前記電気機器収納用箱体。
【請求項３】
前記電気機器収納用箱体であって、該電気機器収納用箱体に嵌合される前記扉下がり防止部材を嵌合させたときに、前記扉下がり防止部材の前記扉の端部が当接する位置にリブを形成したことを特徴とする請求項１または請求項２に記載の電気機器収納用箱体。
【請求項４】
前記電気機器収納用箱体であって、該電気機器収納用箱体に嵌合される扉下がり防止部材を前記本体の水切りより大きく形成し、前記水切りの端部に係合穴と、前記扉下がり防止部材に前記係合穴に対向する係合突起を設けたことを特徴とする請求項１または請求項２または請求項３に記載の電気機器収納用箱体。
【発明の詳細な説明】
【０００１】
【発明の属する技術分野】
前面に開口を有し、雨水等の浸入を防止するための水切りが開口周縁に形成された本体と、開口を施蓋する扉とから成る電気機器収納用箱体に関する。
【０００２】
【従来の技術】
従来の電気機器収納用箱体は、開口の周縁に垂直に水切りを折曲形成し、この水切りに係止可能な係止部と扉を誘導するテーパー部とを形成した扉下がり防止部材を取り付けていた（例えば特許文献１参照。）。
また、扉と本体の間に積載保管時のパッキンつぶれ防止のために干渉部材を別途取り付けていた（例えば特許文献２参照。）。
【０００３】
【特許文献１】
特開２００２−２１１６１０号公報
【特許文献２】
実開平４−０３６２８５号公報
【０００４】
【発明が解決しようとする課題】
しかしながら、上記従来技術における電気機器収納用箱体では、水切りに扉下がり防止部材を取り付けるために切り欠きや貫通穴を設けると防水性能が低下する虞があった。また、扉下がり防止部材を取り付けると箱体の塗装をし直す場合に塗り残しができてしまう虞があった。それから、扉下がり防止とパッキンつぶれ防止を行うためには、それぞれに適した部材を取り付ける必要があり、製造コストはもちろんのこと部材管理の手間もかかってしまうという欠点があった。
【０００５】
【課題を解決するための手段】
そこで本発明は、防水性能を向上させると共に、扉下がりとパッキンつぶれを同時に解消する電気機器収納用箱体を提供することを目的とし、その構造は、水切りを断面略コ字状に折曲すると共に、水切りのコーナー部に扉下がり防止部材を嵌合させることを特徴とする。
【０００６】
また、電気機器収納用箱体に嵌合される扉下がり防止部材の扉に当接する部分にテーパー部を設けたことを特徴とする。
【０００７】
また、電気機器収納用箱体に扉下がり防止部材を嵌合させたときに、扉下がり防止部材の扉の端部が当接する位置にリブを形成したことを特徴とする。
【０００８】
また、電気機器収納用箱体に嵌合される扉下がり防止部材を本体の水切りより大きく形成し、水切りの端部に係合穴と、扉下がり防止部材に係合穴に対向する係合突起を設けたことを特徴とする。
【０００９】
【発明の実施の形態】
本発明に係る電気機器収納用箱体は、本体前面に設けられた開口周縁に断面略コ字状に水切りを形成している。扉下がり防止部材はその水切りに対向した形状とし、取り付けは水切りの横側から差し入れる。
【００１０】
扉下がり防止部材は、テーパー部が形成され、扉を閉じるときに扉の端部がこのテーパー部により誘導される。
【００１１】
扉下がり防止部材にはリブを形成し、扉を閉じたときに扉の端部がリブに当接される。電気機器収納用箱体を積載保管する場合に、扉の自重または扉に取り付けられた機器の重量で、扉内側に貼付されるパッキンがつぶれてしまわないように、リブで扉を支持する。
【００１２】
扉下がり防止部材は、水切りより大きく形成し、水切りの端部に係合穴と、扉下がり防止部材に係合突起とを設け、係合穴に係合突起を係合させて扉下がり防止部材を取り付ける。
【００１３】
【実施例】
本発明に係る電気機器収納用箱体の実施例を図１〜図２の添付図面に基づいて説明する。
【００１４】
電気機器収納用箱体は、前面に開口１を有し、開口１の周縁には水切り２を形成した本体と、開口１を施蓋する扉３とから構成される。水切り２は折り返しを設けた断面略コ字状に折曲形成し、垂直に立ち上げただけの水切りより防水性能を向上させている。水切り２のコーナー部に、横側から差し入れるように扉下がり防止部材４を嵌合させて用いる。
【００１５】
扉３は、扉３の自重や扉３に取り付けられた機器の重量により片下リを発生させやすいので、扉３が閉じるときに、扉３が正規の位置に来るように、扉下がり防止部材４に扉３の端部を誘導するテーパー部５を設ける。テーパー部５に沿って扉３は閉じるため、扉３の下がりを防止できる。
【００１６】
扉３の内側の本体に当接される部分には、パッキンが貼付されることが多い。しかし、電気機器収納用箱体を積載して保管する場合、前面側から押されてパッキンがつぶれてしまうことがあったが、本発明では、扉下がり防止部材４にリブ６を設け、扉３を閉じた状態で、パッキンがつぶれてしまう前に扉３をリブ６で支持する。積載保管時にも、パッキンを保護することができる。
【００１７】
扉下がり防止部材４は、水切り２より大きく形成しさらに防水性能を上げると共に、扉下がり防止部材４の端部の防水性能を低下させないような位置に係合穴７を設け、水切り２にも係合突起８を形成し、係合穴７と係合突起８をそれぞれを対向させて、扉下がり防止部材４を水切り２に取り付ける。
【００１８】
【発明の効果】
以上述べたように、本発明に係る電気機器収納用箱体は、水切りを断面略コ字状に折曲すると共に、水切りのコーナー部に扉下がり防止部材を嵌合させるため、簡単な構造でありながら防水性能を向上させることができる。
【００１９】
また、電気機器収納用箱体に嵌合される扉下がり防止部材の扉に当接する部分にテーパー部を設けたため、防水性能を向上させると共に、扉下がりを防止できる。
【００２０】
また、電気機器収納用箱体に扉下がり防止部材を嵌合させたときに、扉下がり防止部材の扉の端部が当接する位置にリブを形成したため、電気機器収納用箱体を積載して保管する場合に、積載荷重によるパッキンつぶれを防止できる。
【００２１】
また、電気機器収納用箱体に嵌合される扉下がり防止部材を本体の水切りより大きく形成し、水切りの端部に係合穴と、扉下がり防止部材に係合穴に対向する係合突起を設けたため、防水性能を向上させると共に、確実に扉下がり防止部材を取り付けることができる。
【図面の簡単な説明】
【図１】本発明に係る電気機器収納用箱体を示す正面図である。
【図２】本発明に係る電気機器収納用箱体を示す正面図である。
【図３】本発明に係る電気機器収納用箱体を示す断面図である。
【符号の説明】
１      開口
２      水切り
３      扉
４      扉下がり防止部材
５      テーパー部
６      リブ
７      係合穴
８      係合突起
【図１】
2004253469.tif 000003
【図２】
2004253469.tif 000004
【図３】
2004253469.tif 000005